(57)【要約】本発明は、いくつかのサブキャリア間隔構成が共存するときに、キャリア内でリソースを割り当てることに関し、より詳細には、そのようなキャリア内で割り当てるときに、リソースの損失を回避又は少なくとも低減することに関する。本発明は、サブキャリア間隔構成（ｆ１）の連続したリソースブロック（ＲＢ１）を、異なるサブキャリア間隔構成（ｆ０）のラスター上に位置合わせすることを提案する。それゆえ、本発明は、そのようなリソースブロックを端末に割り当てる方法を提案する。
2019519179.tif 000002
【特許請求の範囲】
【請求項１】
いくつかのサブキャリアを含むキャリア内でリソース割当てのためのコンピューター手段によって実施される方法であって、
該リソース割当ては、該キャリアの少なくとも１つのリソースを少なくとも１つの端末に割り当てるためのものであり、
該方法は、
ａ）前記キャリアに関して、少なくとも第１ｆｊ及び第２ｆｉの異なるサブキャリア間隔構成を規定することであって、該サブキャリア間隔構成のうちの一方は該サブキャリア間隔構成のうちの他方の倍数である、規定することと、サブキャリア間隔ｆｊのために許容可能である前記サブキャリアの中の最も低い周波数と、サブキャリア間隔ｆｉのために許容可能である前記サブキャリアの中の最も低い周波数との間の差Δｉｊを規定することと、
ｂ）前記キャリアにおいて、前記第１のサブキャリア間隔構成ｆｊのＮ個のサブキャリアを含む少なくとも１つのリソースブロックＲＢｊを規定することであって、該ＲＢｊは、サブキャリア間隔ｆｊのために許容可能である前記キャリアの前記いくつかのサブキャリアの中の最も低い周波数の前記サブキャリアを有する、規定することと、前記キャリアにおいて、前記第２のサブキャリア間隔構成ｆｉのＮ個のサブキャリアを含むリソースブロックの少なくとも数Ｌｉを所与の端末に割り当てることと、
を含み、
前記割当ては、
ＲＢｊの前記サブキャリアの中のサブキャリア間隔ｆｊのために許容可能である最も低い周波数を有する前記サブキャリアの周波数ｆｊｍを決定することと、
同じ端末に割り当てられる前記Ｌｉ個のリソースブロックの前記サブキャリアの中の最も低い周波数を有する前記サブキャリアの周波数ｆｉｍ−ｓｔａｒｔを決定することであって、該周波数ｆｉｍ−ｓｔａｒｔは、ｆｉｍ−ｓｔａｒｔ＝ｆｊｍ＋（ｋＮ）＊ｆｊ＋Δｉｊを満たし、ただし、ｋは正の整数である、決定することと、
同じ端末に割り当てられる前記Ｌｉ個のリソースブロックの前記サブキャリアの中の最も高い周波数を有する前記サブキャリアの周波数ｆｉｍ−ｅｎｄを決定することであって、該周波数ｆｉｍ−ｅｎｄは、ｆｉｍ−ｅｎｄ＝ｆｉｍ−ｓｔａｒｔ＋（ＬｉＮ−１）＊ｆｉを満たす、決定することと、
を含む、方法。
【請求項２】
前記数Ｌｉは、ｑｉＬｉ＋ＮＲＢｓｔａｒｔ（ｊ）≦ＮＲＢ（ｊ）を満たし、
ただし、
ＮＲＢ（ｊ）は、前記第１のサブキャリア間隔構成ｆｊのＮ個のサブキャリアを含むリソースブロックの期間中に前記キャリアにおいて許容可能である前記第１のサブキャリア間隔構成ｆｊのＮ個のサブキャリアを含むリソースブロックの最大数であり、
ＮＲＢｓｔａｒｔ（ｊ）は、前記第１のサブキャリア間隔構成ｆｊのＮ個のサブキャリアを含むリソースブロックの期間中に前記キャリアにおいて許容可能である前記周波数ｆｉｍ−ｓｔａｒｔより低い周波数のサブキャリアを有する前記第１のサブキャリア間隔構成ｆｊのＮ個のサブキャリアを含むリソースブロックの最大数であり、
ｑｉは、ｆｉ＝ｑｉｆｊによって規定される
請求項１に記載の方法。
【請求項３】
同じ端末に割り当てられ、同じサブキャリア間隔構成ｆｉのＮ個のサブキャリアを含むリソースブロックの前記割当ては、リソース指示値ＲＩＶによって規定され、
該ＲＩＶ値は、整数であり、Ｌｉ及びＮＲＢｓｔａｒｔ（ｊ）の関数である、
請求項２に記載の方法。
【請求項４】
前記ＲＩＶ関数は、Ｌｉ値及びＮＲＢｓｔａｒｔ（ｊ）値を含む任意の１組の単射関数である、
請求項３に記載の方法。
【請求項５】
前記ＲＩＶは、０からＲＩＶによって取り込まれる最大値までの整数の中の全射関数である、
請求項３又は４に記載の方法。
【請求項６】
前記ｆｉは前記ｆｊの倍数ｑｉである、
請求項１〜５のいずれか一項に記載の方法。
【請求項７】
前記相対整数ｋは、ｑｉの倍数でない、
請求項６に記載の方法。
【請求項８】
前記ＲＩＶは、以下の式によって規定され、
【数１】
2019519179.tif 000029
ただし、ｒｉは、ＮＲＢ（ｊ）をｑｉで割る除算の剰余であり、
【数２】
2019519179.tif 000030
である、
請求項３〜７のいずれか一項に記載の方法。
【請求項９】
前記ＲＩＶは、以下の式によって規定され、
【数３】
2019519179.tif 000031
ただし、ｒｉは、ＮＲＢ（ｊ）をｑｉで割る除算の剰余であり、
【数４】
2019519179.tif 000032
である、
請求項３〜７のいずれか一項に記載の方法。
【請求項１０】
前記ＲＩＶは、以下の式によって規定され、
【数５】
2019519179.tif 000033
ただし、
ｒｉは、ＮＲＢ（ｊ）をｑｉで割る除算の剰余であり、
【数６】
2019519179.tif 000034
である、
請求項３〜７のいずれか一項に記載の方法。
【請求項１１】
前記ＲＩＶは、以下の式によって規定され、
【数７】
2019519179.tif 000035
ただし、Ｓｌ（ｊ）＝ＮＲＢ（ｊ）−ｑｉ＊ｌ＋１である、
請求項３〜７のいずれか一項に記載の方法。
【請求項１２】
いくつかのサブキャリアを含むキャリア内のリソース割当てのために構成された送信機であって、
該リソース割当ては、該キャリアの少なくとも１つのリソースを少なくとも１つの端末に割り当てるためのものであり、
該送信機は、
ａ）前記キャリアに関して、少なくとも第１ｆｊ及び第２ｆｉの異なるサブキャリア間隔構成を規定することであって、該サブキャリア間隔構成のうちの一方は該サブキャリア間隔構成のうちの他方の倍数である、規定することと、サブキャリア間隔ｆｊのために許容可能である前記サブキャリアの中の最も低い周波数と、サブキャリア間隔ｆｉのために許容可能である前記サブキャリアの中の最も低い周波数との間の差Δｉｊを規定することと、
ｂ）前記キャリアにおいて、前記第１のサブキャリア間隔構成ｆｊのＮ個のサブキャリアを含む少なくとも１つのリソースブロックＲＢｊを規定することであって、該ＲＢｊは、サブキャリア間隔ｆｊのために許容可能である前記キャリアの前記いくつかのサブキャリアの中の最も低い周波数の前記サブキャリアを有する、規定することと、前記キャリアにおいて、前記第２のサブキャリア間隔構成ｆｉのＮ個のサブキャリアを含むリソースブロックの少なくとも数Ｌｉを所与の端末に割り当てることと、
を実行するように構成され、
前記所与の端末への前記リソースブロックの前記割当てのために、前記送信機は、
ＲＢｊの前記サブキャリアの中のサブキャリア間隔ｆｊのために許容可能である最も低い周波数を有する前記サブキャリアの周波数ｆｊｍを決定することと、
同じ端末に割り当てられる前記Ｌｉ個のリソースブロックの前記サブキャリアの中の最も低い周波数を有する前記サブキャリアの周波数ｆｉｍ−ｓｔａｒｔを決定することであって、該周波数ｆｉｍ−ｓｔａｒｔは、ｆｉｍ−ｓｔａｒｔ＝ｆｊｍ＋（ｋＮ）＊ｆｊ＋Δｉｊを満たし、ただし、ｋは正の整数である、決定することと、
同じ端末に割り当てられる前記Ｌｉ個のリソースブロックの前記サブキャリアの中の最も高い周波数を有する前記サブキャリアの周波数ｆｉｍ−ｅｎｄを決定することであって、該周波数ｆｉｍ−ｅｎｄは、ｆｉｍ−ｅｎｄ＝ｆｉｍ−ｓｔａｒｔ＋（ＬｉＮ−１）ｆｉを満たす、決定することと、
を行うように更に構成される、送信機。
【請求項１３】
数ＮＲＢｓｔａｒｔ（ｊ）及び前記Ｌｉの取り得る値の組ごとに、固有リソース指示値ＲＩＶを記憶するメモリユニットを備え、
ＮＲＢｓｔａｒｔ（ｊ）は、前記第１のサブキャリア間隔構成ｆｊのＮ個のサブキャリアを含むリソースブロックの期間中に前記キャリアにおいて許容可能である前記周波数ｆｉｍ−ｓｔａｒｔより低い周波数のサブキャリアを有する前記第１のサブキャリア間隔構成ｆｊのＮ個のサブキャリアを含むリソースブロックの最大数であり、
前記送信機は、
Ｌｉ及びＮＲＢｓｔａｒｔ（ｊ）の組によって規定される同じ端末へのリソースブロックの前記割当てが実行されるときに、前記ＲＩＶを与え、
前記ＲＩＶを前記所与の端末に送信する、
ように更に構成される、請求項１２に記載の送信機。
【請求項１４】
キャリア内で実行されるリソース割当てに従って該キャリアを使用するために構成された端末であって、
該リソース割当ては請求項１〜１１のいずれか一項に従って実行され、
該端末は、前記第２のサブキャリア間隔構成ｆｉのＮ個のサブキャリアを含むリソースブロックの少なくとも数Ｌｉを使用するように構成され、
該端末は、
該端末に割り当てられ、前記第２のサブキャリア間隔構成ｆｉのＮ個のサブキャリアを含むリソースブロックの少なくとも数Ｌｉの割当てを指示する割当てリソースブロック情報を、制御チャネルを通して受信するように構成される通信モジュールと、
前記割当てリソースブロック情報に従って、該端末に割り当てられる前記リソースブロックを特定するように構成される処理モジュールと、
を備え、
前記処理モジュールは、該端末に割り当てられる前記リソースブロックを、
同じ端末に割り当てられる前記Ｌｉ個のリソースブロックの前記サブキャリアの中の最も低い周波数を有する前記サブキャリアの周波数ｆｉｍ−ｓｔａｒｔを有するものとして特定することであって、該周波数ｆｉｍ−ｓｔａｒｔは、ｆｉｍ−ｓｔａｒｔ＝ｆｊｍ＋（ｋＮ）＊ｆｊ＋Δｉｊを満たし、ただし、ｋは正の整数である、特定することと、
同じ端末に割り当てられる前記Ｌｉ個のリソースブロックの前記サブキャリアの中の最も高い周波数を有する前記サブキャリアの周波数ｆｉｍ−ｅｎｄを有するものとして特定することであって、該周波数ｆｉｍ−ｅｎｄは、ｆｉｍ−ｅｎｄ＝ｆｉｍ−ｓｔａｒｔ＋（ＬｉＮ−１）＊ｆｉを満たす、特定することと、
を行うように構成される、端末。
【請求項１５】
前記端末は、数ＮＲＢｓｔａｒｔ（ｊ）及び前記Ｌｉの取り得る値の組ごとに、固有リソース指示値ＲＩＶを記憶するメモリユニットを更に備え、
ＮＲＢｓｔａｒｔ（ｊ）は、前記第１のサブキャリア間隔構成ｆｊのＮ個のサブキャリアを含むリソースブロックの期間中に前記キャリアにおいて許容可能である前記周波数ｆｉｍ−ｓｔａｒｔより低い周波数のサブキャリアを有する前記第１のサブキャリア間隔構成ｆｊのＮ個のサブキャリアを含むリソースブロックの最大数であり、
前記処理モジュールは、前記割当てリソースブロック情報内のＲＩＶ値を受信すると、前記メモリユニットを読み出し、前記組の値Ｌｉ及びＮＲＢｓｔａｒｔ（ｊ）を特定するように構成される、
請求項１４に記載の端末。
【請求項１６】
プロセッサによって実行されるときに、請求項１〜１１のいずれか一項に記載の方法を実行するコード命令を含む、
コンピュータープログラム製品。
【発明の詳細な説明】
【技術分野】
【０００１】
本発明は、包括的には、キャリア内にいくつかのサブキャリア間隔が共存するときの、このキャリアにおけるリソース割当てに関する。
【背景技術】
【０００２】
いくつかのＯＦＤＭベースシステムによれば、「ヌメロロジー」と呼ばれる場合もある、いくつかのパラメーターセットが同じキャリア上で共存できるようになる。これは、３ＧＰＰの規定によるＮＲ（New Radio：新無線）規格等の５Ｇシステムの場合に特に当てはまる。ヌメロロジーは、サブキャリア間隔構成、サイクリックプレフィックスのサイズ、シンボル数等のパラメーターを含むことができる。したがって、所与の帯域幅を有するキャリア上で、周波数領域において多重化するようにして、異なるサブキャリア間隔構成が共存することができる。異なるサブキャリア間隔構成のこの共存は、そのようなキャリア内のリソース割当てにおいて困難をもたらす。
【発明の概要】
【０００３】
実際には、同じキャリアにおいて２つ以上のサブキャリア間隔構成が規定され、各サブキャリア間隔構成においてリソースが割り当てられる場合には、キャリア内でリソースの損失が生じる場合がある。
【０００４】
例えば、図２Ｂに示されるように、ｆ０、ｆ１及びｆ２によって規定される３つのサブキャリア間隔構成（ただし、ｆ０＜ｆ１＜ｆ２）と、これらのサブキャリア間隔構成のそれぞれにおけるリソースブロック（ＲＢ）の割当て、ＲＢ０、ＲＢ１、ＲＢ２とを考える。これらのリソースブロックは破線枠で表され、各枠は、自らのサブキャリア間隔構成ｆ０、ｆ１、ｆ２の１２個のサブキャリアを含む。
【０００５】
ＲＢは、より包括的には、キャリアの最小のスケジューリング単位を指しており、この例では、時間領域内の一定の数のＯＦＤＭシンボルにわたって、周波数領域において１２個のサブキャリアを含む。それゆえ、時間領域において、スケジューリング単位の持続時間は、ヌメロロジーが異なれば異なり、Ｔ０＞Ｔ１＞Ｔ２である。異なるヌメロロジーに関して、Ｔｉ／Ｔｊ＝ｆｊ／ｆｉである。
【０００６】
ヌメロロジーごとに、より具体的には、サブキャリア間隔構成ごとに、周波数領域において１つのラスターが存在し、ラスターのソケットは、周波数領域における同じヌメロロジーのリソースブロックのサイズに対応する。
【０００７】
そのようなキャリアにおけるスケジューリングは、各ヌメロロジーのラスターを考慮に入れて行われ、実際には、規定されたヌメロロジーの各リソースブロックが、同じヌメロロジーラスターのソケットを満たす。リソースブロックが自らのラスター上に位置合わせされるとき、それらのリソースブロックは、ネスト化されると言われる。
【０００８】
さらに、異なるヌメロロジーのラスターは異なる粒度を有し、異なるヌメロロジーのネスト化されたリソースブロックをスケジューリングする場合、それにより、キャリア内の潜在的なリソースブロックの損失につながる可能性がある。実際には、図２Ｂに示されるように、ヌメロロジーｆ１からのリソースブロックを自らのラスター上に位置合わせできるようにするために、キャリア内でスケジューリングされる２つの異なるヌメロロジーｆ０、ｆ１からのリソースブロック間に或る間隙が課せられる場合がある。
【０００９】
一方、低いサブキャリア間隔構成のリソースブロックの割当てでは、より高いサブキャリア間隔構成でリソースブロックを割り当てるために必要とされる制御シグナリングオーバーヘッドのサイズに比べて、かなりのサイズの制御シグナリングオーバーヘッドが必要になる可能性がある。
【００１０】
それゆえ、より良好なスペクトル効率を有するために、又はより小さい制御シグナリングオーバーヘッドを有するために、同じキャリア内にいくつかのサブキャリア間隔構成が共存するときに、リソースブロックがスケジューリングされ、割り当てられる方法に関して、更なる融通性が必要とされている。
【００１１】
本発明は、この状況を改善することを目的とする。
【００１２】
このために、本発明は、いくつかのサブキャリアを含むキャリア内でリソース割当てのためのコンピューター手段によって実施される方法であって、リソース割当ては、キャリアの少なくとも１つのリソースを少なくとも１つの端末に割り当てるためのものであり、この方法は、
ａ）キャリアに関して、少なくとも第１ｆｊ及び第２ｆｉの異なるサブキャリア間隔構成を規定することであって、サブキャリア間隔構成のうちの一方はサブキャリア間隔構成のうちの他方の倍数である、規定することと、サブキャリア間隔ｆｊのために許容可能であるサブキャリアの中の最も低い周波数と、サブキャリア間隔ｆｉのために許容可能であるサブキャリアの中の最も低い周波数との間の差Δｉｊを規定することと、
ｂ）キャリアにおいて、第１のサブキャリア間隔構成ｆｊのＮ個のサブキャリアを含む少なくとも１つのリソースブロックＲＢｊを規定することであって、該ＲＢｊは、サブキャリア間隔ｆｊのために許容可能であるキャリアのいくつかのサブキャリアの中の最も低い周波数のサブキャリアを有する、規定することと、キャリアにおいて、上記第２のサブキャリア間隔構成ｆｉのＮ個のサブキャリアを含むリソースブロックの少なくとも数Ｌｉを所与の端末に割り当てることと、
を含む、方法に関する。
【００１３】
より詳細には、割当ては、
ＲＢｊのサブキャリアの中のサブキャリア間隔ｆｊのために許容可能である最も低い周波数を有するサブキャリアの周波数ｆｊｍを決定することと、
同じ端末に割り当てられるＬｉ個のリソースブロックのサブキャリアの中の最も低い周波数を有するサブキャリアの周波数ｆｉｍ−ｓｔａｒｔを決定することであって、この周波数ｆｉｍ−ｓｔａｒｔは、ｆｉｍ−ｓｔａｒｔ＝ｆｊｍ＋（ｋＮ）＊ｆｊ＋Δｉｊを満たし、ただし、ｋは正の整数である、決定することと、
同じ端末に割り当てられるＬｉ個のリソースブロックのサブキャリアの中の最も高い周波数を有するサブキャリアの周波数ｆｉｍ−ｅｎｄを決定することであって、この周波数ｆｉｍ−ｅｎｄは、ｆｉｍ−ｅｎｄ＝ｆｉｍ−ｓｔａｒｔ＋（ＬｉＮ−１）＊ｆｉを満たす、決定することと、
を含む。
【００１４】
提案説明を簡単にし、理解しやすくするために、これ以降、Δｉｊは０に設定されることになり、それは、サブキャリア間隔ｆｊのために許容可能であるサブキャリアの中の最も低い周波数と、サブキャリア間隔ｆｉのために許容可能であるサブキャリアの中の最も低い周波数とが同じであることを意味する。さらに、より小さいサブキャリア間隔構成を有するラスターのソケットは、より大きいサブキャリア間隔を有するラスターのソケット内に完全に含まれる。それに対して、Δｉｊが０に設定されない場合には、２つのラスターはわずかにオフセットされる。それゆえ、別のサブキャリア間隔構成のラスター上にリソースブロックを位置合わせすることによって、本発明は、リソースブロックがこの別のサブキャリア間隔構成のラスターからΔｉｊだけオフセットされる場合も含む。通常、ａｂｓ（Δｉｊ）＜ｍａｘ（ｆｉ；ｆｊ）である。
【００１５】
サブキャリア間隔構成ｆのＮ個のサブキャリアを含むリソースブロックの中にサブキャリアを含むことができるときに、そのサブキャリアは、サブキャリア間隔ｆのために許容可能であると言われる。
【００１６】
本発明によれば、いくつかのサブキャリア間隔が共存するキャリア内のリソース割当ての範囲内で、或るサブキャリア間隔構成のリソースブロックを別のサブキャリア間隔構成のラスター上に割り当てることができるようになる。より具体的には、本発明は、連続したリソースブロックを同じ端末に割り当てることを、そのようなリソースブロックグループのうちの第１のリソースブロックを異なるサブキャリア間隔構成のラスター上に位置合わせすることと組み合わせる。連続したリソースブロックの特定の数Ｌｉを同じ端末に割り当てるそのような割当て方式は、第１のリソースブロックの位置と、それらのリソースブロックの数Ｌｉとを指定することによって行われる。これ以降、ＯＦＤＭベースシステム内のそのような割当ては、リソース割当てタイプ２と言われる。
【００１７】
したがって、本発明は、或るラスター上に割り当てられた第１のリソースブロックを、より小さいサブキャリア間隔構成と位置合わせし、それにより、割り当てられた上記リソースブロックと、異なるサブキャリア間隔構成で割り当てられたリソースブロックとの間の潜在的な間隙を回避又は少なくとも低減できるように、それゆえ、より良好なスペクトル効率を有することができるようにすることによって、端末への特定のヌメロロジーのいくつかの連続したリソースブロックの割当てが行われるように、リソース割当てをパラメーター化できるようにする。
【００１８】
また、本発明は、或るラスター上に割り当てられた第１のリソースブロックを、より広いサブキャリア間隔構成と位置合わせし、それにより、制御シグナリングオーバーヘッドを低減できるようにすることによって、端末への特定のヌメロロジーのいくつかの連続したリソースブロックの割当てが行われるように、リソース割当てをパラメーター化できるようにする。実際には、第１のリソースブロックに関して、より粗い粒度を有するラスター上の取り得る位置の数は、その自らのラスター上、又はより細かい粒度を有するラスター上のこの第１のリソースブロックの取り得る位置の数に比べて削減される。それゆえ、同じ端末に割り当てられる各リソースブロック間に間隙が存在しないので、いくつかのリソースブロックのうちの少なくとも１つが割り当てられたラスターのソケット内に存在する周波数リソースを失うことなく、リソース割当てタイプ２は、より広いサブキャリア間隔構成を有するラスター上で開始して、それらのいくつかのリソースブロックを端末に割り当てることができるようにする。
【００１９】
本発明において、リソースブロックは、仮想リソースブロック又は物理リソースブロックを同様に指している。また、リソースブロックは、いくつかのリソースブロックを含むリソースブロックグループ、又は任意の所定の数のサブキャリアからなるグループ等の任意の他のリソース割当て単位も指している。
【００２０】
本発明の一態様によれば、キャリア内で規定されるＲＢｊは、サブキャリア間隔ｆｊのためにキャリア内で許容可能であるサブキャリアの中の最も低い周波数のサブキャリアを有する。
【００２１】
周波数ｆｊｍがＲＢｊのサブキャリアの中の最も低い周波数を有するサブキャリアの周波数であることに代わって、ｆｊｍは、キャリア内で許容可能である第１のサブキャリアの周波数とすることができる。代替的には、ｆｊｍは、特定の端末にリソースを割り当てるために基準サブキャリアとして使用されるサブキャリアの周波数とすることができる。
【００２２】
例えば、本発明は特定の帯域幅を有するキャリア帯域を参照するが、本発明は、キャリア帯域全体の所定の部分、より具体的には、自らのリソース割当て及び／又は制御シグナリングが生じる可能性がある最大帯域であると端末によって見なされる所定の部分において実施することもできる。
【００２３】
本発明の一態様によれば、数Ｌｉは、ｑｉＬｉ＋ＮＲＢｓｔａｒｔ（ｊ）≦ＮＲＢ（ｊ）を満たし、
ただし、
ＮＲＢ（ｊ）は、上記第１のサブキャリア間隔構成ｆｊのＮ個のサブキャリアを含むリソースブロックの期間中に上記キャリアにおいて許容可能である上記第１のサブキャリア間隔構成ｆｊのＮ個のサブキャリアを含むリソースブロックの最大数であり、
ＮＲＢｓｔａｒｔ（ｊ）は、上記第１のサブキャリア間隔構成ｆｊのＮ個のサブキャリアを含むリソースブロックの期間中に上記キャリアにおいて許容可能である上記周波数ｆｉｍ−ｓｔａｒｔより低い周波数のサブキャリアを有する上記第１のサブキャリア間隔構成ｆｊのＮ個のサブキャリアを含むリソースブロックの最大数であり、すなわち、（ｆｉｍ−ｓｔａｒｔ−ｆｊｍ−Δｉｊ）／（Ｎ＊ｆｊ）であり、
ｑｉはｆｉ＝ｑｉｆｊによって規定される。
【００２４】
本発明の一態様によれば、同じ端末に割り当てられ、同じサブキャリア間隔構成ｆｉのＮ個のサブキャリアを含むリソースブロックの割当ては、リソース指示値ＲＩＶによって規定され、ＲＩＶ値は、整数であり、Ｌｉ及びＮＲＢｓｔａｒｔ（ｊ）の関数である。サブキャリア間隔構成ｆｊのラスター上に位置合わせされた或る特定のサブキャリア間隔構成ｆｉの連続したリソースブロックの割当ては、Ｌｉ及びＮＲＢｓｔａｒｔ（ｊ）によって完全に決定されるので、これにより、同じ端末に割り当てられる連続したリソースブロックのリソース割当てごとに、ＲＩＶ値を結び付けることができるようになる。
【００２５】
本発明の一態様によれば、ＲＩＶ関数は、Ｌｉ値及びＮＲＢｓｔａｒｔ（ｊ）値を含む任意の１組の単射関数である。これにより、自らに割り当てられたリソースに従ってＲＩＶ値を受信する端末が、このリソース割当ての１組ＮＲＢｓｔａｒｔ（ｊ）及びＬｉを復号できるようになる。
【００２６】
本発明の一態様によれば、ＲＩＶは０からＲＩＶによって取り込まれる最大値までの整数の中の全射関数である。これは、異なる取り得るリソース割当て、すなわち、Ｌｉ及びＮＲＢｓｔａｒｔ（ｊ）の値の異なる対を通してＲＩＶによって取り込まれる最大値が、取り得る最小値であるのを確実にする。ただし、ｑｉＬｉ＋ＮＲＢｓｔａｒｔ（ｊ）≦ＮＲＢ（ｊ）である。これにより、サブキャリア間隔構成ｆｊのラスター上に位置合わせされる或る特定のサブキャリア間隔構成ｆｉの連続したリソースブロックの全ての取り得るリソース割当てをシグナリングするために必要な最適なビット数を有することができるようになる。
【００２７】
本発明の一態様によれば、ｆｉは上記ｆｊの倍数ｑｉである。サブキャリア間隔構成ｆｉのいくつかの連続したリソースブロックの或る端末へのリソース割当ては、或るラスター上に割り当てられる第１のリソースブロックを、より小さいサブキャリア間隔構成ｆｊと位置合わせすることによって行われる。これにより、上記割り当てられたリソースブロックと、より低いサブキャリア周波数を有する割り当てられるリソースブロックとの間の間隙を回避又は少なくとも低減できるようになり、それゆえ、より良好なスペクトル効率を有することができるようになる。さらに、ｆｉを上記ｆｊの倍数ｑｉにすることによって、上記割り当てられたリソースブロックとの間に間隙を生じることなく、上記割り当てられたリソースブロックからのより高いサブキャリア周波数を有するリソースブロックを同じラスター上に割り当てることができるようになる。
【００２８】
本発明の一態様によれば、相対整数ｋは、ｑｉの倍数でない。
【００２９】
本発明の一態様によれば、ＲＩＶは、以下の式によって規定され、
【数１】
2019519179.tif 000003
ただし、ｒｉは、ＮＲＢ（ｊ）をｑｉで割る除算の剰余であり、
【数２】
2019519179.tif 000004
である。
【００３０】
これにより、送信機が、割り当てられた連続したリソースブロックの割当てごとにＲＩＶ値を符号化できるようになり、この符号化は、複雑ではない。
【００３１】
さらに、これにより、自らに割り当てられたリソースに従ってＲＩＶ値を受信する端末が、このリソース割当ての１組ＮＲＢｓｔａｒｔ（ｊ）及びＬｉを復号できるようになり、この復号は、複雑ではない。
【００３２】
実際には、端末は、自らに割り当てられるリソースブロックの、そして、別のヌメロロジーＮＲＢ（ｊ）に関するキャリア帯域のサブキャリア間隔構成に関連するデータ（例えば、ｆｉ及びｆｊ、ｆｉ及びｑｉ又はｆｊ及びｑｉ）を取得する。端末がＲＩＶ値を更に受信するとき、端末は、その際、以下のように、１組ＮＲＢｓｔａｒｔ（ｊ）及びＬｉを復号することができる：
ＮＲＢ（ｊ）及びｑｉに基づいて、端末は以下を計算する：
【数３】
2019519179.tif 000005
ただし、
【数４】
2019519179.tif 000006
は床関数であり、
【数５】
2019519179.tif 000007
は天井関数である。
ｒｉ＝ｒｅｍ（ＮＲＢ（ｊ），ｑｉ）
ただし、ｒｅｍ（Ｙ；Ｘ）は、ＹをＸで割る除算の剰余である。
そのＲＩＶ値の受信に基づいて、端末は以下を計算する：
【数６】
2019519179.tif 000008
【００３３】
本発明の一態様によれば、ＲＩＶは、以下の式によって規定され、
【数７】
2019519179.tif 000009
ただし、
ｒｉは、ＮＲＢ（ｊ）をｑｉで割る除算の剰余であり、
【数８】
2019519179.tif 000010
である。
【００３４】
これにより、送信機が、割り当てられた連続したリソースブロックの割当てごとにＲＩＶ値を符号化できるようになり、この符号化は、複雑ではない。
【００３５】
さらに、これにより、自らに割り当てられたリソースに従ってＲＩＶ値を受信する端末が、このリソース割当ての１組ＮＲＢｓｔａｒｔ（ｊ）及びＬｉを復号できるようになり、この復号は、複雑ではない。
【００３６】
実際には、端末は、自らに割り当てられるリソースブロックの、そして、別のヌメロロジーＮＲＢ（ｊ）に関するキャリア帯域のサブキャリア間隔構成に関連するデータ（例えば、ｆｉ及びｆｊ、ｆｉ及びｑｉ又はｆｊ及びｑｉ）を取得する。端末がＲＩＶ値を更に受信するとき、端末は、その際、以下のように、１組ＮＲＢｓｔａｒｔ（ｊ）及びＬｉを復号することができる：
ＮＲＢ（ｊ）及びｑｉに基づいて、端末は以下を計算する：
【数９】
2019519179.tif 000011
、及び、
ｒｉ＝ｒｅｍ（ＮＲＢ（ｊ），ｑｉ）
ただし、ｒｅｍ（Ｙ；Ｘ）は、ＹをＸで割る除算の剰余である。
【数１０】
2019519179.tif 000012
そのＲＩＶ値の受信に基づいて、端末は以下を計算する：
【数１１】
2019519179.tif 000013
【００３７】
本発明の一態様によれば、ＲＩＶは、以下の式によって規定され、
【数１２】
2019519179.tif 000014
ただし、ｒｉは、ＮＲＢ（ｊ）をｑｉで割る除算の剰余であり、
【数１３】
2019519179.tif 000015
である。
【００３８】
これにより、送信機が、割り当てられた連続したリソースブロックの割当てごとにＲＩＶ値を符号化できるようになり、この符号化は、複雑ではない。
【００３９】
さらに、これにより、自らに割り当てられたリソースに従ってＲＩＶ値を受信する端末が、このリソース割当ての１組ＮＲＢｓｔａｒｔ（ｊ）及びＬｉを復号できるようになり、この復号は、複雑ではない。
【００４０】
実際には、端末は、自らに割り当てられるリソースブロックの、そして、別のヌメロロジー、ＮＲＢ（ｊ）に関するキャリア帯域のサブキャリア間隔構成に関連するデータ（例えば、ｆｉ及びｆｊ、ｆｉ及びｑｉ又はｆｊ及びｑｉ）を取得する。端末がＲＩＶ値を更に受信するとき、端末は、その際、以下のように、１組ＮＲＢｓｔａｒｔ（ｊ）及びＬｉを復号することができる：
ＮＲＢ（ｊ）及びｑｉに基づいて、端末は以下を計算する：
【数１４】
2019519179.tif 000016
、及び、
ｒｉ＝ｒｅｍ（ＮＲＢ（ｊ），ｑｉ）
ただし、ｒｅｍ（Ｙ＋Ｘ）は、ＹをＸで割る除算の剰余である。
そのＲＩＶ値の受信に基づいて、端末は以下を計算する：
【数１５】
2019519179.tif 000017
【００４１】
本発明の一態様によれば、ＲＩＶは、以下の式によって規定され、
【数１６】
2019519179.tif 000018
ただし、Ｓｌ（ｊ）＝ＮＲＢ（ｊ）−ｑｉ＊ｌ＋１である。
【００４２】
これにより、送信機が、割り当てられた連続したリソースブロックの割当てごとにＲＩＶ値を符号化できるようになり、この符号化は、以前に規定されたＲＩＶの符号化より複雑ではなく、その代わりに、ＲＩＶ値を受信する端末による１組ＮＲＢｓｔａｒｔ（ｊ）及びＬｉの復号は、以前のＲＩＶの復号より複雑である。
【００４３】
実際には、端末は、自らに割り当てられるリソースブロックの、そして、別のヌメロロジーＮＲＢ（ｊ）に関するキャリア帯域のサブキャリア間隔構成に関連するデータ（例えば、ｆｉ及びｆｊ、ｆｉ及びｑｉ又はｆｊ及びｑｉ）を取得する。端末がＲＩＶ値を更に受信するとき、端末は、その際、以下のように、１組ＮＲＢｓｔａｒｔ（ｊ）及びＬｉを復号することができる。
ＮＲＢ（ｊ）、ｑｉ及び端末が受信したＲＩＶ値に基づいて、端末は以下のように値Ｍを計算する。
【数１７】
2019519179.tif 000019
その後、端末は、以下のように、ＮＲＢｓｔａｒｔ（ｊ）及びＬｉを計算する。
【数１８】
2019519179.tif 000020
【００４４】
上記で言及されたのと同様に、端末がＲＩＶを復号するたびに、端末は和
【数１９】
2019519179.tif 000021
を計算するか、又はその和を少なくともルックアップテーブルからロードする必要があり、それは、以前のＲＩＶより多くの、復号のための計算リソース及び／又はメモリ記憶域を必要とするので、このＲＩＶの復号はより複雑である。
【００４５】
本発明の一態様によれば、キャリア、リソース割当て及び端末は、ＯＦＤＭ多重化を使用するワイヤレス通信プロトコル、又はその変形プロトコルのうちの１つに従って規定される。
【００４６】
本発明の一態様によれば、キャリア、リソース割当て及び端末は、５Ｇプロトコルであるワイヤレス通信プロトコルに従って規定される。
【００４７】
本発明の一態様によれば、キャリア、リソース割当て及び端末は、３ＧＰＰ規格による新無線規格であるワイヤレス通信プロトコルに従って規定される。
【００４８】
本発明の第２の態様は、いくつかのサブキャリアを含むキャリア内のリソース割当てのために構成される送信機であって、リソース割当ては、上記キャリアの少なくとも１つのリソースを少なくとも１つの端末に割り当てるためのものであり、該送信機は、
ａ）キャリアに関して、少なくとも第１ｆｊ及び第２ｆｉの異なるサブキャリア間隔構成を規定することであって、サブキャリア間隔構成のうちの一方はこれらのサブキャリア間隔構成のうちの他方の倍数である、規定することと、サブキャリア間隔ｆｊのために許容可能であるサブキャリアの中の最も低い周波数と、サブキャリア間隔ｆｉのために許容可能であるサブキャリアの中の最も低い周波数との間の差Δｉｊを規定することと、
ｂ）キャリアにおいて、第１のサブキャリア間隔構成ｆｊのＮ個のサブキャリアを含む少なくとも１つのリソースブロックＲＢｊを規定することであって、該ＲＢｊは、サブキャリア間隔ｆｊのために許容可能であるキャリアの上記いくつかのサブキャリアの中の最も低い周波数のサブキャリアを有する、規定することと、キャリアにおいて、第２のサブキャリア間隔構成ｆｉのＮ個のサブキャリアを含むリソースブロックの少なくとも数Ｌｉを所与の端末に割り当てることと、
を実行するように構成される、送信機に関する。
【００４９】
より詳細には、所与の端末への上記リソースブロックの割当てのために、送信機は、
ＲＢｊのサブキャリアの中のサブキャリア間隔ｆｊのために許容可能である最も低い周波数を有するサブキャリアの周波数ｆｊｍを決定することと、
同じ端末に割り当てられるＬｉ個のリソースブロックのサブキャリアの中の最も低い周波数を有するサブキャリアの周波数ｆｉｍ−ｓｔａｒｔを決定することであって、該周波数ｆｉｍ−ｓｔａｒｔは、ｆｉｍ−ｓｔａｒｔ＝ｆｊｍ＋（ｋＮ）＊ｆｊ＋Δｉｊを満たし、ただし、ｋは正の整数である、決定することと、
同じ端末に割り当てられるＬｉ個のリソースブロックのサブキャリアの中の最も高い周波数を有するサブキャリアの周波数ｆｉｍ−ｅｎｄを決定することであって、該周波数ｆｉｍ−ｅｎｄは、ｆｉｍ−ｅｎｄ＝ｆｉｍ−ｓｔａｒｔ＋（ＬｉＮ−１）＊ｆｉを満たす、決定することと、
を行うように更に構成される。
【００５０】
本発明の一態様によれば、送信機は、数ＮＲＢｓｔａｒｔ（ｊ）及びＬｉの取り得る値の組ごとに、そのメモリ内に固有リソース指示値ＲＩＶを有するメモリユニットを備え、
ＮＲＢｓｔａｒｔ（ｊ）は第１のサブキャリア間隔構成ｆｊのＮ個のサブキャリアを含むリソースブロックの期間中にキャリアにおいて許容可能である上記周波数ｆｉｍ−ｓｔａｒｔより低い周波数のサブキャリアを有する第１のサブキャリア間隔構成ｆｊのＮ個のサブキャリアを含むリソースブロックの最大数である。
【００５１】
より詳細には、送信機は、
Ｌｉ及びＮＲＢｓｔａｒｔ（ｊ）の組によって規定される同じ端末へのリソースブロックの割当てが実行されるときに、ＲＩＶを与え、
ＲＩＶを上記所与の端末に送信する、
ように更に構成される。
【００５２】
例えば、送信機のプロセッサは、割り当てられるリソースブロックのサブキャリア間隔構成に対応する、そして、それに代わって対応するＲＩＶ値を与える、別のヌメロロジーＮＲＢ（ｊ）に関するキャリア帯域に対応するルックアップテーブル内に数ＮＲＢｓｔａｒｔ（ｊ）及びＬｉの値を入力することができる。
【００５３】
メモリユニットが、数ＮＲＢｓｔａｒｔ（ｊ）及びＬｉの取り得る値の組ごとに、そのメモリ内に固有リソース指示値ＲＩＶを有する本発明の態様の一代替形態によれば、プロセッサは、上記で言及された式を適用することによってＲＩＶを計算することができる。
【００５４】
本発明の第３の態様は、キャリア内で実行されるリソース割当てに従ってキャリアを使用するように構成される端末に関し、このリソース割当ては、上記で説明されたように本発明に従って実行された。端末は、上記第２のサブキャリア間隔構成ｆｉのＮ個のサブキャリアを含むリソースブロックの少なくとも数Ｌｉを使用するように構成され、
端末は、
端末に割り当てられ、第２のサブキャリア間隔構成ｆｉのＮ個のサブキャリアを含むリソースブロックの少なくとも数Ｌｉの割当てを指示する割当てリソースブロック情報を、制御チャネルを通して受信するように構成される通信モジュールと、
割当てリソースブロック情報に従って、端末に割り当てられるリソースブロックを特定するように構成される処理モジュールと、
を備え、
より詳細には、処理モジュールは、端末に割り当てられるリソースブロックを、
同じ端末に割り当てられる上記Ｌｉ個のリソースブロックのサブキャリアの中の最も低い周波数を有するサブキャリアの周波数ｆｉｍ−ｓｔａｒｔを有するものとして特定することであって、該周波数ｆｉｍ−ｓｔａｒｔは、ｆｉｍ−ｓｔａｒｔ＝ｆｊｍ＋（ｋＮ）＊ｆｊ＋Δｉｊを満たし、ただし、ｋは正の整数である、特定することと、
同じ端末に割り当てられる上記Ｌｉ個のリソースブロックのサブキャリアの中の最も高い周波数を有するサブキャリアの周波数ｆｉｍ−ｅｎｄを有するものとして特定することであって、該周波数ｆｉｍ−ｅｎｄは、ｆｉｍ−ｅｎｄ＝ｆｉｍ−ｓｔａｒｔ＋（ＬｉＮ−１）＊ｆｉを満たす、特定することと、
を行うように構成される。
【００５５】
一代替形態によれば、端末は、数ＮＲＢｓｔａｒｔ（ｊ）及び上記Ｌｉの取り得る値の組ごとに、固有リソース指示値ＲＩＶを記憶するメモリユニットを更に備え、
ＮＲＢｓｔａｒｔ（ｊ）は、上記第１のサブキャリア間隔構成ｆｊのＮ個のサブキャリアを含むリソースブロックの期間中に上記キャリアにおいて許容可能である上記周波数ｆｉｍ−ｓｔａｒｔより低い周波数のサブキャリアを有する第１のサブキャリア間隔構成ｆｊのＮ個のサブキャリアを含むリソースブロックの最大数であり、より詳細には、処理モジュールは、上記割当てリソースブロック情報内のＲＩＶ値を受信すると、上記メモリユニットを読み出し、組の値Ｌｉ及びＮＲＢｓｔａｒｔ（ｊ）を特定するように構成される。
【００５６】
例えば、端末の処理モジュールは、受信されたＲＩＶ値を、自らに割り当てられるリソースブロックのサブキャリア間隔構成に対応する、そして、それに代わって数ＮＲＢｓｔａｒｔ（ｊ）及びＬｉ値の対応する１組を与える、別のヌメロロジーＮＲＢ（ｊ）に関するキャリア帯域に対応するルックアップテーブル内に入力する。
【００５７】
本発明によれば、端末は、全てのタイプの端末、例えば、モバイルフォン、車両通信システム及び全ての種類の被接続デバイス、より一般的には、全ての終端システムを含む。
【００５８】
メモリユニットが、数ＮＲＢｓｔａｒｔ（ｊ）及びＬｉの取り得る値の組ごとに、そのメモリ内に固有リソース指示値ＲＩＶを有する本発明の態様の一代替形態によれば、処理モジュールは、特定のＲＩＶに対応する数ＮＲＢｓｔａｒｔ（ｊ）及び数Ｌｉを計算できるようにする上記で言及された計算ステップを適用することによって、数ＮＲＢｓｔａｒｔ（ｊ）及びＬｉ値の１組を計算することができる。
【００５９】
例えば、端末がＲＩＶを受信し、ＮＲＢ（ｊ）及びｑｉの知識及び端末が受信したＲＩＶ値に基づいて、処理モジュールが、以下のように、値Ｍを計算する。
【数２０】
2019519179.tif 000022
【００６０】
その後、処理モジュールは、以下のように、ＮＲＢｓｔａｒｔ（ｊ）及びＬｉを計算する。
【数２１】
2019519179.tif 000023
【００６１】
本発明の第４の態様は、プロセッサによって実行されるとき、上記で説明された方法を実行するコード命令を含む、コンピュータープログラム製品に関する。
【００６２】
本発明は、添付図面の図に、限定としてではなく例として示される。添付図面において、同様の参照符号は同様の要素を参照する。
【図面の簡単な説明】
【００６３】
【図１】送信機と、リソースが割り当てられる端末とを示す図である。
【図２Ａ】１つのヌメロロジーのみが規定されるキャリアにおける通常のリソースブロックスケジューリングの概略図である。
【図２Ｂ】いくつかのサブキャリア間隔構成が普通に共存するキャリア内の通常のリソースブロックスケジューリングの概略図である。
【図２Ｃ】いくつかのサブキャリア間隔構成が共存するキャリア内の本発明によるリソースブロックスケジューリングの概略図である。
【図３Ａ】割当てリソースブロック情報を送信するステップを表すフローチャートである。
【図３Ｂ】割当てリソースブロック情報を端末によって受信するステップと、この情報を復号して、端末に割り当てられるリソースブロックを規定するステップとを表すフローチャートである。
【発明を実施するための形態】
【００６４】
図１を参照すると、送信機１、例えば、ＮＲ等のＯＦＤＭベース５Ｇシステムにおける基地局ＢＳと、送信機のセル内にある端末とが示される。端末２、例えば、ＮＲ等のＯＦＤＭベース５Ｇシステムにおけるユーザー機器ＵＥは、基地局によってリソースを割り当てられる。
【００６５】
送信機１は、１つの通信モジュール（ＣＯＭ＿ｔｒａｎｓ）３と、１つの処理モジュール（ＰＲＯＣ＿ｔｒａｎｓ）４と、メモリユニット（ＭＥＭＯ＿ｔｒａｎｓ）５とを備える。ＭＥＭＯ＿ｔｒａｎｓ５は、コンピュータープログラムを読み出す不揮発性ユニットと、割当てパラメーターを読み出す揮発性ユニットとを備える。ＰＲＯＣ＿ｔｒａｎｓは、端末に割り当てられるリソースブロックに従って、ＲＩＶ値等の割当てリソースブロック情報を決定するように構成される。ＣＯＭ＿ｔｒａｎｓは、リソースブロック情報を端末に送信するように構成される。
【００６６】
端末は、１つの通信モジュール（ＣＯＭ＿ｔｅｒｍ）６と、１つの処理モジュール（ＰＲＯＣ＿ｔｅｒｍ）７と、メモリユニット（ＭＥＭＯ＿ｔｅｒｍ）８とを備える。ＭＥＭＯ＿ｔｅｒｍ８は、コンピュータープログラムを読み出す不揮発性ユニットと、キャリアのパラメーター及び割当てリソースブロック情報を読み出す揮発性ユニットとを備える。ＰＲＯＣ＿ｔｅｒｍ７は、割当てリソースブロック情報に従って、上記端末に割り当てられるリソースブロックを決定するように構成される。ＣＯＭ＿ｔｅｒｍ６は、割当てリソースブロック情報を送信機から受信するように構成される。
【００６７】
以下において、キャリア帯域の一部のみ、又はキャリア帯域の所定の部分のみが表される。
【００６８】
図２Ａを参照すると、１つのヌメロロジーのみが規定され、このヌメロロジーからのリソースブロックがスケジューリングされるキャリアの部分が示される。例えば、ＬＴＥ／ＬＴＥ−Ａｄｖａｎｃｅｄにおいて、キャリアは一般に、２０ＭＨｚの倍数である帯域幅を有する。この帯域幅の約９０％が、通信要件のために実効的に使用される。周波数領域では、リソース割当てプロセスにおいて、サブキャリアのグループが端末に割り当てられる。ＬＴＥ／ＬＴＥ−Ａｄｖａｎｃｅｄにおいて、サブキャリアは、それぞれ１２個のサブキャリアからなるリソースブロック（ＲＢ）にグループ分けされる。ユーザーが或る特定の数のリソースブロックを、それゆえ、或る特定の帯域幅を割り当てられるという意味において、リソースブロックは、リソース割当て粒度を規定する。ＬＴＥ／ＬＴＥ−Ａｄｖａｎｃｅｄにおいて、２つの隣接するサブキャリア間のサブキャリア間隔、すなわち、周波数間隔は１５ｋＨｚに固定される。それゆえ、リソースブロックの周波数帯域幅は固定され、キャリア内のリソースブロックの取り得る数はキャリア帯域幅のみに依存する。
【００６９】
ヌメロロジーに、より具体的には、サブキャリア間隔構成に、そしてＯＦＤＭシンボルのＴＴＩ構成／数にはラスターが対応し、ラスターのソケットは、周波数領域内の同じヌメロロジーのリソースブロックのサイズに対応する。全てのリソースブロックが、このラスター上に位置合わせしてスケジューリングされる。ラスター上にネスト化された各潜在リソースブロックは整数を付される。例えば、論理領域において、仮想リソースブロックが１〜Ｍの番号を付けられ、Ｍは、キャリア内で許容可能であるリソースブロックの最大数である。仮想リソースブロック番号１は論理領域内の第１のリソースブロックであり、第Ｍのリソースブロックは、キャリアの最後のリソースブロックである。例えば、ＬＴＥ／ＬＴＥ−Ａにおいて、いくつかの割当て方式が存在し、リソース割当てタイプ２は、コンパクトなフォーマットであり、ダウンリンク転送又はアップリンク転送のために端末に割り当てられる連続した仮想リソースブロックの組を端末に指示する。それゆえ、端末に割り当てられる第１のリソースブロックＲＢｓｔａｒｔに対応するリソース指示値（ＲＩＶ）と、仮想的に連続して割り当てられるリソースブロックに関する長さＬとが端末に送信される。ＲＩＶは以下によって定義することができる。
【数２２】
2019519179.tif 000024
ただし、ＮＲＢｓｔａｒｔは、ＲＢｓｔａｒｔの位置に対応する番号である。
【００７０】
ＲＩＶ値によって、端末は、自らに割り当てられる第１の仮想リソースブロックＲＢｓｔａｒｔの位置と、端末に割り当てられる仮想的に連続したリソースブロックの数とを復号できるようになる。ＲＢｓｔａｒｔ及びＬが復号されると、端末は、端末に割り当てられたリソースブロックを規定することができる。
【００７１】
図２Ｂを参照すると、いくつかのサブキャリア間隔構成が共存し、これらの異なるヌメロロジーのうちの２つからのリソースブロックがスケジューリングされるキャリアの部分が示される。これは、ＮＲ（新無線）規格等のＯＦＤＭベース５Ｇシステムにおいてとりわけ可能である。例えば、図２Ｂにおいて、３つのサブキャリア間隔構成が共存し、それらはｆ０、ｆ１及びｆ２である。ＢＷが、キャリアの実効的に占有される帯域幅である。キャリア内で許容可能である特定のヌメロロジーのリソースブロックの最大数は、
【数２３】
2019519179.tif 000025
である。ｆｉの或る特定の値に関して、例えば、帯域エッジにおいて、Ｎ個未満のサブキャリアを含む部分（fractional）ＲＢが許される場合には、１つの拡張（extra）ＲＢが存在できることに留意されたい。数値に関する例として、｛ｆ０、ｆ１、ｆ２｝＝（１５ｋＨｚ、３０ｋＨｚ、１２０ｋＨｚ｝であり、リソースブロックあたり１２キャリアである。枠は、時間領域のＯＦＤＭシンボルの一定の数（例えば、７ＯＦＤＭシンボル）にわたって、周波数領域において１２個のサブキャリアを含むリソースブロックを表す。それゆえ、時間領域において、スケジューリング単位の持続時間は、ヌメロロジーが異なれば異なり、Ｔ０＞Ｔ１＞Ｔ２（この例において、ｆ２＝２ｆ１＝４ｆ０であるとき、Ｔ２＝Ｔ１／２＝Ｔ０／４）である。異なるヌメロロジーに関して、Ｔｉ／Ｔｊ＝ｆｊ／ｆｉである。図２Ｂは、異なるサブキャリア間隔構成がスケジューリングされる２つのリソースブロックを示す。上側リソースブロックＲＢ０は、ｆ０のサブキャリア間隔構成と、Ｔ０の持続時間とを有し、その下にある、１つのリソースブロックＲＢ１は、ｆ１のサブキャリア間隔構成と、Ｔ１の持続時間とを有する。この例において、ＲＢ０は論理帯域内の第１の仮想リソースブロックであると仮定する。これらのリソースブロックはそれぞれ、自らのラスター上にネスト化されるので、この場合、ＲＢ１はＲＢ０に隣接することはできない。それゆえ、ＲＢ１を自らのラスター上に位置合わせできるようにするために或る間隙が課せられ、その結果、キャリア内にリソースの損失が生じる。図２Ｂの例では、Δｉｊ＝０、∀ｉ，ｊ∈｛０，１，２｝が考慮された。
【００７２】
図２Ｃを参照すると、図２Ｂの例と同様に、いくつかのサブキャリア間隔構成が共存し、これらの異なるヌメロロジーのうちの２つからのリソースブロックがスケジューリングされるキャリアの部分が示される。より具体的には、３つのサブキャリア間隔構成が共存し、それらはｆ０、ｆ１及びｆ２であり、ただし、ｆ２＝２ｆ１＝４ｆ０である。図２Ｂと同様に、そのキャリアにおいて、異なるサブキャリア間隔構成を有する２つのリソースブロックがスケジューリングされる。図２Ｂとは異なり、本発明によれば、ＲＢ１は実際には自らのラスター上にネスト化されず、ＲＢ１は異なるラスター上に、この場合には、ＲＢ０のラスター上に位置合わせされる。ＲＢ０のラスターはＲＢ１のラスターより細かいので、ＲＢ１はより自由に配置することができ、それゆえ、ＲＢ０とＲＢ１との間の間隙を回避することができる。
【００７３】
それゆえ、送信機は、Ｌ個の連続したリソースブロックの組を端末に割り当て、割り当てられる第１のリソースブロックはＲＢｓｔａｒｔ（１）である。それゆえ、送信機によって端末に割り当てられるサブキャリア間隔構成ｆ０のラスター上で開始して、サブキャリア間隔構成ｆ１のＬ個の連続したリソースブロックの割当てに対応する特定のＲＩＶが規定される。
【００７４】
例えば、
【数２４】
2019519179.tif 000026
である。
【００７５】
ただし、ｒ１は、ＮＲＢ（０）を２で割る除算の剰余であり、ＮＲＢｓｔａｒｔ（０）はＲＢｓｔａｒｔ（１）の位置に対応する番号である。
【００７６】
図３Ａを参照すると、キャリア内のリソースブロックを送信機によって端末に割り当てるための、本発明の一態様によるステップを表すフローチャートが示される。
【００７７】
ステップ１１（Ｓ１１）において、送信機は、端末に、キャリア帯域幅ＢＷと、サポートされるヌメロロジー及び／又は必要に応じて、ラスター位置合わせ（例えば、Δｉｊ）に関する情報とを含む、セル設定に関するパラメーターを送信する。より具体的には、送信機は、端末に、端末が少なくとも以下のパラメーター：ｆ０、ｆ１、ＮＲＢ（０）を直接知ることができるか、又は推定できるようにする情報を送信する。
【００７８】
ステップ１２（Ｓ１２）において、送信機は、端末に、割当てパラメーター、例えば、どのタイプのリソースブロック（リソースブロックのサブキャリア間隔構成）が端末に割り当てられることになるか、それゆえ、いくつかの組を取り得る場合には、ＲＩＶ値を復号するために式又はルックアップテーブルのどの組が必要になるかを端末が推定できるようにする指示を送信する。
【００７９】
ステップ１３（Ｓ１３）において、送信機は、送信機が端末に割り当てる連続したリソースブロックを規定する。
【００８０】
ステップ１４（Ｓ１４）において、送信機は、制御チャネルを通して、ＲＩＶ値を送信する。ＲＩＶ値は、送信機が端末に割り当てる連続したリソースブロックに基づいて、上記で言及されたＲＩＶ式で計算される。
【００８１】
図３Ｂを参照すると、端末に割り当てられたリソースブロックを端末によって規定するための、本発明の一態様によるステップを表すフローチャートが示される。
【００８２】
ステップ２１（Ｓ２１）において、端末は、送信機から、帯域幅ＢＷと、サポートされるヌメロロジー及び／又は必要に応じて、ラスター位置合わせ（例えば、Δｉｊ）に関する情報とを含む、セル設定に関するパラメーターを受信する。より具体的には、端末は、送信機から、端末が少なくとも以下のパラメーター：ｆ０、ｆ１、ＮＲＢ（０）を直接知ることができるか、又は推定できるようにする情報を受信する。
【００８３】
ステップ２２（Ｓ２２）において、端末は、送信機から、割当てパラメーター、例えば、どのタイプのリソースブロック（リソースブロックのサブキャリア間隔構成）が端末に割り当てられることになるか、それゆえ、いくつかの組を取り得る場合には、ＲＩＶ値を復号するために式又はルックアップテーブルのどの組が必要になるかを端末が推定できるようにする指示を受信する。
【００８４】
ステップ２３（Ｓ２３）において、端末は、送信機から、制御チャネルを通して、端末に割り当てられたリソースブロックに対応するＲＩＶ値を受信する。
【００８５】
ステップ２４（Ｓ２４）において、ＮＲＢ（０）及びｑ１＝２の知識に基づいて、端末が以下を計算する：
ｒ１、ＮＲＢ（０）を２で割る除算の剰余、及び、
【数２５】
2019519179.tif 000027
、及び、
そのＲＩＶ値の受信に基づいて、端末が以下を計算する：
【数２６】
2019519179.tif 000028
【００８６】
Ｌ及びＮＲＢｓｔａｒｔ（０）が復号されるとき、端末は、自らに割り当てられたリソースブロックを規定している。
【００８７】
当然、本発明は、上記で詳細に説明された実施形態の例には限定されず、更なる代替の実施形態も含む。
【００８８】
例えば、本発明は特定の帯域幅のキャリア帯域を参照するが、本発明は、キャリア帯域全体の所定の部分、より具体的には、自らのリソース割当て及び制御シグナリングが生じる可能性がある最大帯域であると端末によって見なされる所定の部分において実施することもできる。
【図１】
2019519179.tif 000036
【図２Ａ】
2019519179.tif 000037
【図２Ｂ】
2019519179.tif 000038
【図２Ｃ】
2019519179.tif 000039
【図３Ａ】
2019519179.tif 000040
【図３Ｂ】
2019519179.tif 000041
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
いくつかのサブキャリアを含むキャリア内でリソース割当てのためのコンピューター手段によって実施される方法であって、
該リソース割当ては、該キャリアの少なくとも１つのリソースを少なくとも１つの端末に割り当てるためのものであり、
該方法は、
ａ）前記キャリアに関して、少なくとも第１ｆｊ及び第２ｆｉの異なるサブキャリア間隔構成を規定することであって、該サブキャリア間隔構成のうちの一方は該サブキャリア間隔構成のうちの他方の倍数である、規定することと、サブキャリア間隔ｆｊのために許容可能である前記サブキャリアの中の最も低い周波数と、サブキャリア間隔ｆｉのために許容可能である前記サブキャリアの中の最も低い周波数との間の差Δｉｊを規定することと、
ｂ）前記キャリアにおいて、前記第１のサブキャリア間隔構成ｆｊのＮ個のサブキャリアを含む少なくとも１つのリソースブロックＲＢｊを規定することであって、該ＲＢｊは、サブキャリア間隔ｆｊのために許容可能である前記キャリアの前記いくつかのサブキャリアの中の最も低い周波数の前記サブキャリアを有する、規定することと、前記キャリアにおいて、前記第２のサブキャリア間隔構成ｆｉのＮ個のサブキャリアを含むリソースブロックの少なくとも数Ｌｉを所与の端末に割り当てることと、
を含み、
前記割当ては、
ＲＢｊの前記サブキャリアの中のサブキャリア間隔ｆｊのために許容可能である最も低い周波数を有する前記サブキャリアの周波数ｆｊｍを決定することと、
同じ端末に割り当てられる前記Ｌｉ個のリソースブロックの前記サブキャリアの中の最も低い周波数を有する前記サブキャリアの周波数ｆｉｍ−ｓｔａｒｔを決定することであって、該周波数ｆｉｍ−ｓｔａｒｔは、ｆｉｍ−ｓｔａｒｔ＝ｆｊｍ＋（ｋＮ）＊ｆｊ＋Δｉｊを満たし、ただし、ｋは正の整数である、決定することと、
同じ端末に割り当てられる前記Ｌｉ個のリソースブロックの前記サブキャリアの中の最も高い周波数を有する前記サブキャリアの周波数ｆｉｍ−ｅｎｄを決定することであって、該周波数ｆｉｍ−ｅｎｄは、ｆｉｍ−ｅｎｄ＝ｆｉｍ−ｓｔａｒｔ＋（ＬｉＮ−１）＊ｆｉを満たす、決定することと、
を含む、方法。
【請求項２】
前記数Ｌｉは、ｑｉＬｉ＋ＮＲＢｓｔａｒｔ（ｊ）≦ＮＲＢ（ｊ）を満たし、
ただし、
ＮＲＢ（ｊ）は、前記第１のサブキャリア間隔構成ｆｊのＮ個のサブキャリアを含むリソースブロックの期間中に前記キャリアにおいて許容可能である前記第１のサブキャリア間隔構成ｆｊのＮ個のサブキャリアを含むリソースブロックの最大数であり、
ＮＲＢｓｔａｒｔ（ｊ）は、前記第１のサブキャリア間隔構成ｆｊのＮ個のサブキャリアを含むリソースブロックの期間中に前記キャリアにおいて許容可能である前記周波数ｆｉｍ−ｓｔａｒｔより低い周波数のサブキャリアを有する前記第１のサブキャリア間隔構成ｆｊのＮ個のサブキャリアを含むリソースブロックの最大数であり、
ｑｉは、ｆｉ＝ｑｉｆｊによって規定され、ただし、ｑｉ又は１／ｑｉは整数である、
請求項１に記載の方法。
【請求項３】
同じ端末に割り当てられ、同じサブキャリア間隔構成ｆｉのＮ個のサブキャリアを含むリソースブロックの前記割当ては、リソース指示値ＲＩＶによって規定され、
該ＲＩＶ値は、整数であり、Ｌｉ及びＮＲＢｓｔａｒｔ（ｊ）の関数である、
請求項２に記載の方法。
【請求項４】
前記ＲＩＶ関数は、Ｌｉ値及びＮＲＢｓｔａｒｔ（ｊ）値を含む任意の１組の単射関数である、
請求項３に記載の方法。
【請求項５】
前記ＲＩＶは、０からＲＩＶによって取り込まれる最大値までの整数の中の全射関数である、
請求項３又は４に記載の方法。
【請求項６】
前記ｆｉは前記ｆｊの倍数ｑｉである、
請求項１〜５のいずれか一項に記載の方法。
【請求項７】
前記相対整数ｋは、ｑｉの倍数でない、
請求項６に記載の方法。
【請求項８】
前記ＲＩＶは、以下の式によって規定され、
【数１】
2019519179.tif 000042
ただし、ｒｉは、ＮＲＢ（ｊ）をｑｉで割る除算の剰余であり、
【数２】
2019519179.tif 000043
である、
請求項３〜７のいずれか一項に記載の方法。
【請求項９】
前記ＲＩＶは、以下の式によって規定され、
【数３】
2019519179.tif 000044
ただし、ｒｉは、ＮＲＢ（ｊ）をｑｉで割る除算の剰余であり、
【数４】
2019519179.tif 000045
である、
請求項３〜７のいずれか一項に記載の方法。
【請求項１０】
前記ＲＩＶは、以下の式によって規定され、
【数５】
2019519179.tif 000046
ただし、
ｒｉは、ＮＲＢ（ｊ）をｑｉで割る除算の剰余であり、
【数６】
2019519179.tif 000047
である、
請求項３〜７のいずれか一項に記載の方法。
【請求項１１】
前記ＲＩＶは、以下の式によって規定され、
【数７】
2019519179.tif 000048
ただし、Ｓｌ（ｊ）＝ＮＲＢ（ｊ）−ｑｉ＊ｌ＋１である、
請求項３〜７のいずれか一項に記載の方法。
【請求項１２】
いくつかのサブキャリアを含むキャリア内のリソース割当てのための手段を備える送信機であって、
該リソース割当ては、該キャリアの少なくとも１つのリソースを少なくとも１つの端末に割り当てるためのものであり、
該送信機は、
ａ）前記キャリアに関して、少なくとも第１ｆｊ及び第２ｆｉの異なるサブキャリア間隔構成を規定することであって、該サブキャリア間隔構成のうちの一方は該サブキャリア間隔構成のうちの他方の倍数である、規定することと、サブキャリア間隔ｆｊのために許容可能である前記サブキャリアの中の最も低い周波数と、サブキャリア間隔ｆｉのために許容可能である前記サブキャリアの中の最も低い周波数との間の差Δｉｊを規定することと、
ｂ）前記キャリアにおいて、前記第１のサブキャリア間隔構成ｆｊのＮ個のサブキャリアを含む少なくとも１つのリソースブロックＲＢｊを規定することであって、該ＲＢｊは、サブキャリア間隔ｆｊのために許容可能である前記キャリアの前記いくつかのサブキャリアの中の最も低い周波数の前記サブキャリアを有する、規定することと、前記キャリアにおいて、前記第２のサブキャリア間隔構成ｆｉのＮ個のサブキャリアを含むリソースブロックの少なくとも数Ｌｉを所与の端末に割り当てることと、
を実行するように構成され、
前記所与の端末への前記リソースブロックの前記割当てのために、前記送信機は、
ＲＢｊの前記サブキャリアの中のサブキャリア間隔ｆｊのために許容可能である最も低い周波数を有する前記サブキャリアの周波数ｆｊｍを決定することと、
同じ端末に割り当てられる前記Ｌｉ個のリソースブロックの前記サブキャリアの中の最も低い周波数を有する前記サブキャリアの周波数ｆｉｍ−ｓｔａｒｔを決定することであって、該周波数ｆｉｍ−ｓｔａｒｔは、ｆｉｍ−ｓｔａｒｔ＝ｆｊｍ＋（ｋＮ）＊ｆｊ＋Δｉｊを満たし、ただし、ｋは正の整数である、決定することと、
同じ端末に割り当てられる前記Ｌｉ個のリソースブロックの前記サブキャリアの中の最も高い周波数を有する前記サブキャリアの周波数ｆｉｍ−ｅｎｄを決定することであって、該周波数ｆｉｍ−ｅｎｄは、ｆｉｍ−ｅｎｄ＝ｆｉｍ−ｓｔａｒｔ＋（ＬｉＮ−１）ｆｉを満たす、決定することと、
を行うように更に構成される、送信機。
【請求項１３】
数ＮＲＢｓｔａｒｔ（ｊ）及び前記Ｌｉの取り得る値の組ごとに、固有リソース指示値ＲＩＶを記憶するメモリユニットを備え、
ＮＲＢｓｔａｒｔ（ｊ）は、前記第１のサブキャリア間隔構成ｆｊのＮ個のサブキャリアを含むリソースブロックの期間中に前記キャリアにおいて許容可能である前記周波数ｆｉｍ−ｓｔａｒｔより低い周波数のサブキャリアを有する前記第１のサブキャリア間隔構成ｆｊのＮ個のサブキャリアを含むリソースブロックの最大数であり、
前記送信機は、
Ｌｉ及びＮＲＢｓｔａｒｔ（ｊ）の組によって規定される同じ端末へのリソースブロックの前記割当てが実行されるときに、前記ＲＩＶを与え、
前記ＲＩＶを前記所与の端末に送信する、
ように更に構成される、請求項１２に記載の送信機。
【請求項１４】
キャリア内で実行されるリソース割当てに従って該キャリアを使用する手段を備える端末であって、
該リソース割当ては請求項１〜１１のいずれか一項に従って実行され、
該端末は、前記第２のサブキャリア間隔構成ｆｉのＮ個のサブキャリアを含むリソースブロックの少なくとも数Ｌｉを使用するように構成され、
該端末は、
該端末に割り当てられ、前記第２のサブキャリア間隔構成ｆｉのＮ個のサブキャリアを含むリソースブロックの少なくとも数Ｌｉの割当てを指示する割当てリソースブロック情報を、制御チャネルを通して受信するように構成される通信モジュールと、
前記割当てリソースブロック情報に従って、該端末に割り当てられる前記リソースブロックを特定するように構成される処理モジュールと、
を備え、
前記処理モジュールは、該端末に割り当てられる前記リソースブロックを、
同じ端末に割り当てられる前記Ｌｉ個のリソースブロックの前記サブキャリアの中の最も低い周波数を有する前記サブキャリアの周波数ｆｉｍ−ｓｔａｒｔを有するものとして特定することであって、該周波数ｆｉｍ−ｓｔａｒｔは、ｆｉｍ−ｓｔａｒｔ＝ｆｊｍ＋（ｋＮ）＊ｆｊ＋Δｉｊを満たし、ただし、ｋは正の整数である、特定することと、
同じ端末に割り当てられる前記Ｌｉ個のリソースブロックの前記サブキャリアの中の最も高い周波数を有する前記サブキャリアの周波数ｆｉｍ−ｅｎｄを有するものとして特定することであって、該周波数ｆｉｍ−ｅｎｄは、ｆｉｍ−ｅｎｄ＝ｆｉｍ−ｓｔａｒｔ＋（ＬｉＮ−１）＊ｆｉを満たす、特定することと、
を行うように構成される、端末。
【請求項１５】
前記端末は、数ＮＲＢｓｔａｒｔ（ｊ）及び前記Ｌｉの取り得る値の組ごとに、固有リソース指示値ＲＩＶを記憶するメモリユニットを更に備え、
ＮＲＢｓｔａｒｔ（ｊ）は、前記第１のサブキャリア間隔構成ｆｊのＮ個のサブキャリアを含むリソースブロックの期間中に前記キャリアにおいて許容可能である前記周波数ｆｉｍ−ｓｔａｒｔより低い周波数のサブキャリアを有する前記第１のサブキャリア間隔構成ｆｊのＮ個のサブキャリアを含むリソースブロックの最大数であり、
前記処理モジュールは、前記割当てリソースブロック情報内のＲＩＶ値を受信すると、前記メモリユニットを読み出し、前記組の値Ｌｉ及びＮＲＢｓｔａｒｔ（ｊ）を特定するように構成される、
請求項１４に記載の端末。
【請求項１６】
プロセッサによって実行されるときに、請求項１〜１１のいずれか一項に記載の方法を実行するコード命令を含む、
コンピュータープログラム製品。
【国際調査報告】
2019519179.tif 000049
2019519179.tif 000050
2019519179.tif 000051